(57)【要約】      （修正有）【課題】「日にち」表示そのものにデザイン性があり、楽しく使用できるカレンダー用シートを提供する。【解決手段】シート基材２表面に、所定の「月」表示５がなされるとともに一方の端部から他方の端部にかけて「月」表示５に対応する「日にち」表示７が略Ｓ字型、略逆Ｓ字型等の曲線においてライン状に配置されている。【選択図】図１
0003209974.tif 000002
【実用新案登録請求の範囲】
【請求項１】
シート基材表面に、所定の「月」表示がなされるとともに、一方の端部近傍から他方の端部近傍にかけて前記「月」表示に対応する「日にち」表示がライン状に配置されてなるカレンダー用シート。
【請求項２】
前記ラインが滑らかな曲線である請求項１記載のカレンダー用シート。
【請求項３】
前記曲線が略Ｓ字型または略逆Ｓ字型である請求項２記載のカレンダー用シート。
【請求項４】
前記「日にち」表示における「土曜日」「日曜日」「祝日」に相当する「日にち」が他の「日にち」より大きく、及び又は、他の「日にち」と異なる色で描かれている請求項１記載のカレンダー用シート。
【請求項５】
前記「日にち」表示がその両側に空白部を持つように配置されている請求項１記載のカレンダー用シート。
【考案の詳細な説明】
【技術分野】
【０００１】  この考案は、月めくりカレンダー等に用いられるカレンダー用シートに関する。
【背景技術】
【０００２】  通常の月めくりカレンダーにおいては、「日にち」表示は上部の「曜日」表示に沿って横方向に複数段に配置され、その「日にち」表示それぞれに隣接してメモ用の空白部が設けられ、それらの表示は格子状の区画に沿って描かれている。したがって、その表示そのものにデザイン性がなく、そこでその表示部分の上スペースに写真や絵画などのデザイン模様を付することでデザイン性が付与されている。しかしながら、そのようなカレンダーは「日にち」表示等のカレンダー表示がデザイン模様と分離しており、かつ、カレンダー表示をあまり小さくできないのでデザイン模様をそれほど大きくできず、そのデザイン性には限界があった。
【考案の概要】
【考案が解決しようとする課題】
【０００３】  この考案では、「日にち」表示そのものにデザイン性があり、楽しく使用されるカレンダー用シートを提供することを目的とする。【０００４】  この考案では、シート基材表面に、所定の「月」表示がなされるとともに一方の端部から他方の端部にかけて、前記「月」表示に対応する「日にち」表示がライン状に配置されてなるカレンダー用シートを提供する。【０００５】  上記構成のカレンダー用シートは、「日にち」表示がシート基材表面の一方の端部から他方の端部にかけてライン状に配置されることでデザイン性を持つものとなる。カレンダー用シートは月めくりカレンダーの１枚として、また、独立して用いられる。カレンダー用シートのサイズは、Ａ１サイズ、Ａ２サイズ等適宜とされ、また、卓上カレンダー用のものはそれにあった小サイズのものとされる。【０００６】  「日にち」表示のラインは、シート基材表面一方の端部から他方の端部にかけて設けられれば縦方向、横方向、斜め方向等適宜の方向に設けられてよく、滑らかな略Ｓ字型、略逆Ｓ字型等の曲線とされることでよりデザイン性が高められる。【０００７】  「日にち」表示における「土曜日」「日曜日」「祝日」に相当する「日にち」が他の「日にち」より大きく、及び又は、他の「日にち」と異なる色で描かれることで、見易く使用される。「日にち」表示は「土曜日」「日曜日」「祝日」に相当する「日にち」が他の「日にち」より小さくされる等適宜に描かれればよい。【０００８】  ライン状の「日にち」表示がその両側に空白部を持つ構成とされることで、その空白部にスケジュール等のメモが行え、また、デザイン模様を付することができる。
【考案の効果】
【０００９】  この考案によれば、デザイン性に優れて楽しく便利なカレンダー用シートが得られる。この考案のカレンダー用シートは、レストランやカフェ、さらには、ブティック等において、その環境のデザイン性を損なうことなく使用される。
【図面の簡単な説明】
【００１０】
【図１】  この考案のカレンダー用シートの実施形態の平面図
【図２】  この考案のカレンダー用シートの異なる実施形態の平面図
【図２】  この考案のカレンダー用シートのさらに異なる実施形態の平面図
【考案の好ましい実施形態】
【００１１】  図１はこの考案のカレンダー用シートの実施形態の平面図である。カレンダー用シート１は２０１７年の月めくりカレンダーの「１月」用であり、Ａ１サイズの基材シート２表面上に「年」表示３、「月」表示５、「日にち」表示７のそれぞれが描かれて構成されている。「年」表示３、「月」表示５とは基材シート２表面の左上角位置に描かれ、「日にち」表示７はライン状で右上隅近傍から左下隅近傍に至るように略Ｓ字形態に緩やかに描かれている。
【００１２】  「日にち」表示７において「土曜日」「日曜日」「祝日」に相当する「日にち」は大きく、かつ赤色で描かれ、他の「日にち」は小さく黒色で描かれている。大きく表示された「日にち」の側位置には、英語により「ＳＡＴＵＲＤＡＹ」、「ＳＵＮＤＡＹ」、「ＹＥＷ  ＹＥＡＲ’Ｓ  ＤＡＹ」等の「曜日」や「祝日名」表示９が小さく描かれている。
【００１３】    カレンダー用シート１は、「日にち」表示７がライン状で右上隅近傍から左下隅近傍に至るように略Ｓ字形態に緩やかに大きく描かれたことで、「日にち」表示７そのものがデザイン性を持つものとなっている。また、「日にち」表示７がＡ１サイズの基材シート２表面上にほぼ一杯に描かれていることでその全体表示が大きくて見易く、かつ、「土曜日」「日曜日」「祝日」に相当する「日にち」が大きく異なった色で描かれていることでより見易くなっている。さらに、「日にち」表示７の両側に空白部１０が位置することで、その空白部１０の「日にち」表示７に沿う両側位置にスケジュール等を適宜書き込むことができ、また、空白部１０に適宜のデザイン模様を描いたり貼ったりして付することができる。
【００１４】    図２は異なる実施形態を示す。カレンダー用シート１は「２０１７年」の月めくりカレンダーの「１２月」用であり、「日にち」表示７は上部から下部にかけて略逆Ｓ字形態に緩やかに描かれている。この実施例においても上記実施形態のものと同様に、「日にち」表示７そのものがデザイン性を持つとともに、「土曜日」「日曜日」「祝日」に相当する「日にち」が大きく異なった色で描かれていることでより見易く、さらに、空白部１０の「日にち」表示７に沿う両側位置がスケジュール等を適宜書き込み等に利用される。
【００１５】  図３はさらに異なる実施形態を示す。カレンダー用シート１は「２０１７年」の月めくりカレンダーの「３月」用であり、「日にち」表示７は左部から右部にかけて略Ｓ字形態に緩やかに描かれている。この実施例においても上記実施形態のものと同様に、「日にち」表示７そのものがデザイン性を持つとともに、「土曜日」「日曜日」「祝日」に相当する「日にち」が大きく異なった色で描かれていることでより見易く、さらに、空白部１０の「日にち」表示７に沿う両側位置がスケジュール等を適宜書き込み等に利用される。
【符号の説明】
【００１６】１    カレンダー用シート
２    基材シート
３    「年」表示
５    「月」表示
７    「日にち」表示
１０  空白部
【図１】
0003209974.tif 000003
【図２】
0003209974.tif 000004
【図３】
0003209974.tif 000005
【手続補正書】
【提出日】平成29年2月20日(2017.2.20)
【手続補正１】
【補正対象書類名】明細書
【補正対象項目名】００１０
【補正方法】変更
【補正の内容】
【００１０】
【図１】  この考案のカレンダー用シートの実施形態の平面図
【図２】  この考案のカレンダー用シートの異なる実施形態の平面図
【図３】  この考案のカレンダー用シートのさらに異なる実施形態の平面図